(57)【要約】【課題】デザイン的には直線性を保ちながら、強度的に優れ、また照明カバーを照明器具本体に容易に着脱できるミラーキャビネット照明装置を提供する。【解決手段】洗面化粧台のミラーキャビネットＡの上部に設けられる照明装置であって、ミラー７の上縁に設けられた照明器具本体６と該照明器具本体６に着脱自在に弾性係合する照明カバー１とからなり、該照明カバー１は横断面に略Ｖ字形の角部２を形成する上片と下片とからなる細長体からなり、上記手前に突出した角部２と、上片１ａと上記照明器具本体６との取付部３との間に上記細長体の長手方向に沿って隆起部を設けて稜線４を形成してなるミラーキャビネット照明装置。【選択図】図１
2008279171.tif 000002
【特許請求の範囲】
【請求項１】
洗面化粧台のミラーキャビネットの上部に設けられる照明装置であって、ミラーの上縁に設けられた照明器具本体と該照明器具本体に着脱自在に弾性係合する照明カバーとからなり、該照明カバーは横断面に略Ｖ字形の角部を形成する上片と下片とからなる細長体からなり、上記手前に突出した角部と、上片と上記照明器具本体との取付部との間に上記細長体の長手方向に沿って隆起部を設けて稜線を形成してなるミラーキャビネット照明装置。
【請求項２】
上記照明カバーを形成する上片の幅方向端部は上方に折曲されて上部係止片を形成し、下片の幅方向端部は下方に折曲されて下部係止片を形成し、上記上部係止片と下部係止片とによって照明カバーが照明器具本体に着脱自在に係合する請求項１に記載のミラーキャビネット照明装置。
【請求項３】
上記照明カバーが弾性を有する硬質樹脂から形成される請求項１に記載のミラーキャビネット照明装置。
【発明の詳細な説明】
【技術分野】
【０００１】
本発明は、ミラーキャビネットに関する。さらに詳しくは、洗面化粧台のミラーキャビネットの上部に設けられる照明装置の構造に関する。
【背景技術】
【０００２】
洗面化粧台は、洗面ボウルがはめ込まれた洗面キャビネットとその上縁に接して取り付けられるミラーを具えたミラーキャビネットとからなり、通常、ミラーキャビネットの上部には、照明灯が取り付けられている。白熱灯、蛍光灯等種々のタイプの照明灯は照明器具本体に組み付けられるとともに、上記照明灯は、一般的に照明カバーで覆われて両者が一体となってミラーキャビネットの一部を構成している。
【０００３】
本願図４は、上記公知のミラーキャビネットＡと洗面キャビネットＢとからなる洗面化粧台を示す斜視図であり、図５は、図４におけるＹ−Ｙ線に沿うミラーキャビネットＡの断面図である。図４、図５に示すように、上記ミラー７を備えたミラーキャビネットＡの上部には照明器具本体６とそれを覆う照明カバー９とからなる照明装置Ｄが設けられ、照明器具本体６には、照明灯６１が組み付けられている。
【０００４】
上記照明カバー９は上片９１と下片９２とからなるとともに、この上片９１と下片９２とは手前に突出した略Ｖ字形の鋭角状の角部を形成し、シャープな、直線性を強調したデザインとされている。
【０００５】
一方、下記特許文献１には、キャビネット本体の上部に下がり勾配の傾斜面を形成し、該傾斜面に洗面ボウルを配設するとともに、該洗面ボウルには湯水栓を配設した洗髪洗面キャビネットが提案され、その図１には、正面が鋭角状に突き出た照明カバーが開示されている。そしてこの洗髪・洗面キャビネットは使い勝手とともに、デザイン性を大幅に向上させるという効果が記載されている。
【特許文献１】特開平７−２８９４５８号公報（第１〜３頁、第１図）
【発明の開示】
【発明が解決しようとする課題】
【０００６】
上記特許文献１の図１に記載の洗髪・洗面キャビネットに取り付けられている照明カバーは、本願図４に記載の照明カバー９と同様に直線性が強調されシャープなデザインとされている。しかし、鋭角状に成型するためには金型の先端に大きな荷重がかかるため、相当の強度を必要とし、また上記鋭角を構成する照明カバーの上片と下片とを押縮して弾性変形させ、照明器具本体に着脱する際、鋭角に折曲した部分は、残留した応力により、割れやひびが入りやすいという問題がある。
【０００７】
本発明はこのような問題を解決して、デザイン的には直線性を保ちながら、強度的に優れ、また照明カバーを照明器具本体に容易に着脱できるミラーキャビネット照明装置を提供することを、その課題とする。
【課題を解決するための手段】
【０００８】
上記課題を解決するために、本発明においては、つぎのような技術的手段を講じている。すなわち、請求項１に記載の発明によれば、洗面化粧台のミラーキャビネットの上部に設けられる照明装置であって、ミラーの上縁に設けられた照明器具本体と該照明器具本体に着脱自在に弾性係合する照明カバーとからなり、該照明カバーは横断面に略Ｖ字形の角部を形成する上片と下片とからなる細長体からなり、上記手前に突出した角部と、上片と上記照明器具本体との取付部との間に上記細長体の長手方向に沿って隆起部を設けて稜線を形成してなるミラーキャビネット照明装置が提供される。
【０００９】
請求項２に記載のミラーキャビネット照明装置は、請求項１に記載の発明に加えて、上記照明カバーを形成する上片の幅方向端部は上方に折曲されて上部係止片を形成し、下片の幅方向端部は下方に折曲されて下部係止片を形成し、上記上部係止片と下部係止片とによって照明カバーが照明器具本体に着脱自在に係合される。
【００１０】
請求項３に記載のミラーキャビネット照明装置は、請求項１に記載の発明に加えて、上記照明カバーが弾性を有する硬質樹脂から形成される。このような合成樹脂としては、硬質塩化ビニル樹脂、ポリプロピレン樹脂、ＡＢＳ樹脂、ポリカーボネート樹脂等をあげることができる。
【発明の効果】
【００１１】
請求項１に記載の発明にかかるミラーキャビネット照明装置は上記のとおりであり、ミラーの上縁に設けられた照明器具本体とそれに弾性係合する照明カバーとからなり、該照明カバーは上片と下片とにより横断面に略Ｖ字形の角部が形成された細長体からなり、手前に突出した角部と、上片と上記照明器具本体との取付部との間に上記細長体の長手方向に沿って隆起部を設けて稜線が形成されているため、上記ミラーキャビネット照明装置の直線性は保たれ、ミラーキャビネットを含む洗面化粧台全体がシャープな外観となり、デザイン的にも優れたものとなる。
【００１２】
また、上記隆起部を設けることにより、公知の照明カバーに比べて角部を形成する角度が鈍角に近づくため、製造時の成型金型の先端にかかる応力は分散して残留応力を小さくすることができる。その結果、照明灯の使用時に割れたり、ヒビが入ることを防ぐことができる。さらに、隆起部の形成により、照明カバーの内部空間が増大して、照明灯の発熱による照明カバー内の温度上昇を防ぐことができる。
【００１３】
請求項２に記載のミラーキャビネット照明装置は上記のとおりであり、請求項１のミラーキャビネット照明装置の有する効果に加え、上記照明カバーの上片の幅方向端部には上部係止片が形成され、下片の幅方向端部には下部係止片が形成されているため、上記上部係止片と下部係止片とを押縮することによって照明カバーを照明器具本体に着脱自在に取り付けることができる。
【００１４】
請求項３に記載のミラーキャビネット照明装置は上記のとおりであり、請求項１のミラーキャビネット照明装置の有する効果に加え、上記照明カバーが弾性を有する硬質樹脂から形成されるため、上片と下片とを押縮することにより下部係止片と上部係止片とは小さい力で弾性変形し、容易に照明器具本体に照明カバーを着脱することができる。
【発明を実施するための最良の形態】
【００１５】
以下、本発明の実施形態について図面を参照して詳細に説明する。図１は、本発明にかかるミラーキャビネット照明装置Ｃを取り付けた洗面化粧台を示す斜視図である。図２は、上記図１におけるＸ−Ｘ線に沿う断面図である。図１、図２に示すように、上記洗面化粧台は、ミラーキャビネットＡと洗面キャビネットＢとからなり、ミラーキャビネットＡのミラー７の上縁にはミラーキャビネット照明装置Ｃが取り付けられている。
【００１６】
このミラーキャビネット照明装置Ｃは照明灯６１を具えた照明器具本体６とこの照明器具本体６に着脱自在に弾性係合する照明カバー１とからなり、照明カバー１は上片１ａと下片１ｂとからなる細長体から形成されている。そして、照明カバー１は上記照明灯６１を覆って照明器具本体６に着脱自在に取り付けられる。
【００１７】
図１、図２に示されるように、照明カバー１の手前に突出した略Ｖ字形の角部２から上片１ａと照明器具本体６との取付部３との間には照明カバー１の長手方向に沿って隆起部を設けて稜線４を形成させ、稜線４と取付部３との間は緩斜面部５とされている。また、上片１ａの幅方向端部は上方に折曲されて上部係止片１１ａを形成し、同様に、下片１ｂの幅方向端部は下方に折曲されて下部係止片１１ｂを形成している。
【００１８】
図３は上記照明カバー１を示す斜視図である。図３に点線で示すように公知の照明カバー９に比べて略Ｖ字形を形成する角度αが鈍角に近づいているため、製造時の成型金型の先端にかかる応力は分散し、通常の成型法により容易に生産することができる。また緩傾斜面５が形成されているため、この緩傾斜面５と下片１１ｂとを矢印で示すように押縮することにより、上部係止片１１ａと下部係止片１１ｂとは小さい力で弾性変形し、容易に照明器具本体６に照明カバー１を着脱することができる。
【００１９】
さらに、合成樹脂の金型成型の観点からも角度αが鈍角に近付くほど残留応力は小さくなるため、使用時に割れたり、ヒビが入ることを防ぐことができる。また、上記のように構成された照明カバー１の上片１ａの長さ方向に延設された稜線４は洗面化粧台の上方に配設されるため、使用者の視野に入ることはなく、ミラーキャビネット照明装置Ｃの外観の直線性は保つことができる。したがって、本発明にかかる洗面化粧台全体のデザインもシャープな外観となり、デザイン的にも優れたものとなる。
【００２０】
なお、本実施形態においては、上記上部係止片１１ａと下部係止片１１ｂとは照明カバー１の幅方向端部に延設されているが、延設することなく上下両端部を含む複数箇所に爪状の係止部を突設してもよい。このように、本発明は設計変更自在であり、特許請求の範囲を逸脱しない限り、本発明の技術的範囲に属する。
【図面の簡単な説明】
【００２１】
【図１】本発明にかかるミラーキャビネット照明装置を取り付けた洗面化粧台を示す斜視図である。
【図２】図１におけるＸ−Ｘ線に沿うミラーキャビネットの断面図である。
【図３】本発明にかかる照明カバーを示す斜視図である。
【図４】公知のミラーキャビネットと洗面キャビネットとからなる洗面化粧台を示す斜視図である。
【図５】図４におけるＹ−Ｙ線に沿うミラーキャビネットの断面図である。
【符号の説明】
【００２２】
Ａ          ミラーキャビネット
Ｂ          洗面キャビネット
Ｃ          本発明にかかるミラーキャビネット照明装置
Ｄ          公知技術におけるミラーキャビネット照明装置
９          公知の照明カバー
９１        上片
９２        下片
１          本発明にかかる照明カバー
１ａ        上片
１１ａ      上部係止片
１ｂ        下片
１１ｂ      下部係止片
２          角部
３          取付部
４          稜線
５          緩傾斜面
６          照明器具本体
６１        照明灯
７          ミラー
８          洗面ボウル
【図１】
2008279171.tif 000003
【図２】
2008279171.tif 000004
【図３】
2008279171.tif 000005
【図４】
2008279171.tif 000006
【図５】
2008279171.tif 000007